(57)【要約】【課題】ユーザに嗜好に沿った撮影状況を実現する情報処理装置を提供することを目的とする。【解決手段】パーソナルコンピュータ１における表示ユニット３に、第１のカメラ２５と、第２のカメラ２７と、第１のライト２８と、第２のライト２９とを有する。第１のカメラ２５と、第２のカメラ２７との何れかのカメラで撮像を行うか、また第１のライト２８と第２のライト２９との何れかから照射するかを選択する。更に本体ユニット２には、パームレストライト３０が備えられ、パームレストライト３０から光を照射するか否かを更に選択できる。撮像を行うカメラを選択し、照明状況を詳細に設定することでユーザの嗜好に沿った撮影が実現する。【選択図】図１
2010161783.tif 000002
【特許請求の範囲】
【請求項１】
本体と、
前記本体とヒンジを介して接続される下端部と、前記下端部と反対側に位置する上端部とを有するディスプレイユニットと、
前記ディスプレイユニットの筺体に組み込まれるディスプレイと、
前記ディスプレイユニット若しくは前記本体の筺体に備えられ、筺体外に光を照射する照射部と、
前記ディスプレイユニットの筺体の中で、前記照射部よりも前記上端部に近い位置に備えられる撮像部と、
を有し、
前記撮像部で撮像する際に、前記照射部は照射強度を調整して光を照射することを特徴とする情報処理装置。
【請求項２】
前記本体の筺体外部における光量を検知する光センサと、
前記撮像部で撮像する際に必要な光量レベルを記憶する記憶部と、
を更に有し、
前記撮像部で撮像する際に、前記光センサにより前記本体の筺体外部における光量を検知し、前記検知した光量が撮像する際に必要な光量レベルに満たないと判別した場合、前記照射部の照射強度を上げることを特徴とする請求項１に記載の情報処理装置。
【請求項３】
前記撮像部は、前記ディスプレイの周辺であって、前記上端部の左右両端に備えられることを特徴とする請求項１に記載の情報処理装置。
【請求項４】
前記照射部は、前記撮像部よりも前記下端部に近い位置に複数備えられ、
前記複数の撮像部と、前記照射部の照射強度とを対応付けて記憶し、
前記複数の撮像部の内から撮像を行う撮像部を選択した場合、前記照射部は前記記憶した照射強度で光を照射することを特徴とする請求項３に記載の情報処理装置。
【請求項５】
前記ディスプレイは、前記撮像部で撮像した画像を表示し、
前記ディスプレイにおいて、前記撮像した画像以外の領域に表示する色を調整可能であることを特徴とする請求項４に記載の情報処理装置。
【発明の詳細な説明】
【技術分野】
【０００１】
本発明は、カメラを備えた情報処理装置に関する。
【背景技術】
【０００２】
コンピュータに備えられたウェブカメラにて撮影した映像を用いて、インターネット経由で会話するビデオチャットが普及している。このウェブカメラの位置及び角度を自由に調整可能とした技術が開示されている（例えば特許文献１参照）。
【先行技術文献】
【特許文献】
【０００３】
【特許文献１】実用新案登録第３０９７８８３号公報
【発明の概要】
【発明が解決しようとする課題】
【０００４】
上述の技術を用いてウェブカメラの位置等を変更する場合、その都度ユーザがウェブカメラを移動させ調整を行う必要があり手間がかかる。またウェブカメラとコンピュータを接続する屈折性管をディスプレイの前に設置した場合、ディスプレイを視認する妨げになる虞がある。
【０００５】
ユーザの撮影に対する要求として、撮影状況を詳細に設定し、自分のカメラ映りを自由に選択したいというものがある。撮影状況には、撮影を行う方向に加え、光を照射する方向が重要な要素である。撮影を行う方向と同じ方向から光を照射すると、顔の正面で光を反射し、明るいカメラ映りとなる。一方、撮影を行う方向とは異なる方向から光を照射すると、顔に陰影の付いたカメラ映りが実現する。上述の技術ではライトがカメラの近傍に備えられているため、必ず撮影を行う方向と同じ方向から光が照射されることとなる。従って、上述の技術では、撮影状況を設定しカメラ映りを選択したいというユーザの要求には応えることができていなかった。
【０００６】
本発明は上記課題を解決するためになされたものであり、ユーザの嗜好に沿った撮影状況を実現する情報処理装置を提供することを目的とする。
【課題を解決するための手段】
【０００７】
上記の課題を解決するために本発明の情報処理装置は、本体と、前記本体とヒンジを介して接続される下端部と、前記下端部と反対側に位置する上端部とを有するディスプレイユニットと、前記ディスプレイユニットの筺体に組み込まれるディスプレイと、前記ディスプレイユニット若しくは前記本体の筺体に備えられ、筺体外に光を照射する照射部と、前記ディスプレイユニットの筺体の中で、前記照射部よりも前記上端部に近い位置に備えられる撮像部と、を有し、前記撮像部で撮像する際に、前記照射部は照射強度を調整して光を照射することを特徴とする。
【発明の効果】
【０００８】
本発明によれば、ユーザに嗜好に沿った撮影状況を実現することができる。
【図面の簡単な説明】
【０００９】
【図１】第１の実施の形態におけるパーソナルコンピュータの斜視図。
【図２】第１の実施の形態におけるパーソナルコンピュータの信号処理系を説明するために示すブロック構成図。
【図３】第１の実施の形態における撮影状況の設定画面の例。
【図４】第１の実施の形態の撮影状況の設定手順を示したフローチャート。
【図５】第１の実施の形態におけるパーソナルコンピュータの使用状況を示した図。
【図６】第２の実施の形態におけるパーソナルコンピュータの斜視図。
【図７】第２の実施の形態におけるパーソナルコンピュータの信号処理系を説明するために示すブロック構成図。
【図８】第２の実施の形態における撮影状況の設定画面の例。
【図９】第２の実施の形態の撮影状況の設定手順を示したフローチャート。
【発明を実施するための形態】
【００１０】
以下に、図１〜図９を参照して、本発明の実施の形態について、例えば、情報処理装置の１つであるパーソナルコンピュータ１に適用した場合を例に説明する。
【００１１】
まず図１〜図５を用いて、第１の実施の形態について説明する。図１は、第１の実施の形態におけるパーソナルコンピュータ１の外観斜視図を示す。本明細書において、手前側（即ちユーザ側）を前、ユーザから見て奥側を後、ユーザから見て左側を左、ユーザから見て右側を右と定義する。
【００１２】
パーソナルコンピュータ１はコンピュータ本体２とディスプレイユニット３から構成されている。ディスプレイユニット３には表示装置３ａが組み込まれている。ディスプレイユニット３は、コンピュータ本体２の上面を覆う閉塞位置とコンピュータ本体２の上面が露出する開放位置との間を回動自在に変化するように、コンピュータ本体２の奥手側端部に設けられたヒンジ４に取り付けられている。コンピュータ本体２は薄い箱状の筐体を有しており、その筐体上面中央部にはキーボード６が設けられる。コンピュータ本体２の手前側の筐体部分上面にはパームレストが形成されている。パームレストのほぼ中央にはタッチパッド５が設けられる。コンピュータ本体２の奥側の筐体部分上面には、コンピュータ本体２の電源をオン／オフするための電源スイッチ７が設けられる。図１は開放位置を図示しており、ディスプレイユニット３の上辺の左右両端に、第１のカメラ２５及び第２のカメラ２７を備えている。左側に設けられたカメラを第１のカメラ２５、右側に設けられたカメラを第２のカメラ２７とする。またヒンジ４を有する表示ユニット１３の下辺の左右両端に、第１のライト２８及び第２のライト２９を備えている。左側に設けられたライトを第１のライト２８、右側に設けられたライトを第２のライト２９とする。また、表示ユニット１３は、表示装置３ａと、ラッチ１６とを有している。更にコンピュータ本体２のパームレスト上にパームレストライト３０を有する。
【００１３】
図２は、第１の実施の形態におけるパーソナルコンピュータ１の信号処理系を説明するために示すブロック構成図である。第１の形態におけるパーソナルコンピュータ１は、表示装置３ａと、タッチパッド５と、キーボード６と、電源スイッチ７と、ＣＰＵ（Ｃｅｎｔｒａｌ  Ｐｒｏｃｅｓｓｉｎｇ  Ｕｎｉｔ）１０と、ノースブリッジ１１と、主メモリ１２と、グラフィックスコントローラ１３と、ＶＲＡＭ１４（Ｖｉｄｅｏ  Ｒａｎｄｏｍ  Ａｃｃｅｓｓ  Ｍｅｍｏｒｙ）と、サウスブリッジ１５と、ＨＤＤ（Ｈａｒｄ  Ｄｉｓｋ  Ｄｒｉｖｅ）１６と、ＢＩＯＳ−ＲＯＭ（Ｂａｓｉｃ  Ｉｎｐｕｔ  Ｏｕｔｐｕｔ  Ｓｙｓｔｅｍ  Ｒｅａｄ  Ｏｎｌｙ  Ｍｅｍｏｒｙ）１７と、ＥＣ／ＫＢＣ（Ｅｍｂｅｄｄｅｄ  Ｃｏｎｔｒｏｌｌｅｒ／Ｋｅｙｂｏａｒｄ  Ｃｏｎｔｒｏｌｌｅｒ）１８と、電源コントローラ１９と、バッテリ２０と、ＡＣアダプタ２１と、ＬＡＮコントラーラ２２と、無線ＬＡＮコントローラ２３と、第１のカメラコントローラ２４と、第１のカメラ２５と、第２のカメラコントローラ２６と、第２のカメラ２７と、第１のライト２８と、第２のライト２９と、パームレストライト３０とを備えている。
【００１４】
表示装置３ａは、グラフィックスコントローラ１３からの映像信号に基づいて、映像を表示する。
【００１５】
タッチパッド５及びキーボード６は、ユーザの操作に応じて、パーソナルコンピュータ１に各種の操作信号を伝送する操作機器である。
【００１６】
電源スイッチ７は、ユーザによる操作に応じてパーソナルコンピュータ１をパワーオン／パワーオフする制御信号を伝送する。
【００１７】
ＣＰＵ１０は本コンピュータの動作を制御するために設けられたプロセッサであり、ＨＤＤ１６から主メモリ１２にロードされる、オペレーティングシステム及び各種アプリケーションプログラムを実行する。またＣＰＵ１０はＢＩＯＳ−ＲＯＭ１７に格納されたシステムＢＩＯＳを主メモリ１２にロードした後、実行する。システムＢＩＯＳはハードウェア制御のためのプログラムである。
【００１８】
ノースブリッジ１１はＣＰＵ１０のローカルバスとサウスブリッジ１５との間を接続するブリッジデバイスである。ノースブリッジ１１には主メモリ１２をアクセス制御するメモリコントローラも内蔵されている。またノースブリッジ１１はＡＧＰ（Ａｃｃｅｌｅｒａｔｅｄ  Ｇｒａｐｈｉｃｓ  Ｐｏｒｔ）バス等を介してグラフィックスコントローラ１３との通信を実行する機能も有している。
【００１９】
主メモリ１２は、ＨＤＤ１６に記憶されるオペレーティングシステム及び各種アプリケーションプログラムや、ＢＩＯＳ−ＲＯＭ１７に格納されたシステムＢＩＯＳを展開されるためのいわゆるワーキングメモリである。
【００２０】
グラフィックスコントローラ１３は、本コンピュータのディスプレイモニタとして使用される表示装置３ａを制御する表示コントローラである。このグラフィックスコントローラ１３はオペレーティングシステム／アプリケーションプログラムによってＶＲＡＭ１４に描画された表示データから、表示装置３ａに表示すべき表示イメージを形成する映像信号を生成する。グラフィックスコントローラ１３によって生成された映像信号はラインに出力される。
【００２１】
サウスブリッジ１５は、ネットワークに接続された機器とデータの転送を行うためのＬＡＮコントローラ２２や無線ＬＡＮコントローラ２３等と接続されている。またサウスブリッジ１５は、ＢＩＯＳ−ＲＯＭ１７へのアクセスや、ＨＤＤ１６及びＯＤＤ（Ｏｐｔｉｃａｌ  Ｄｉｓｋ  Ｄｒｉｖｅ）などのディスクドライブ（Ｉ／Ｏデバイス）の制御を行う。更に本実施の形態においては、第１のカメラコントローラ２４及び第２のカメラコントローラ２６と接続されている。
【００２２】
ＨＤＤ１６は、オペレーティングシステム及び各種アプリケーションプログラム等を記憶する記憶装置である。
【００２３】
ＢＩＯＳ−ＲＯＭ１７はハードウェア制御のためのプログラムであるシステムＢＩＯＳを格納する書き換え可能な不揮発性メモリである。
【００２４】
ＥＣ／ＫＢＣ１８は、入力手段としてのタッチパッド５、キーボード６の制御を行う。
【００２５】
ＥＣ／ＫＢＣ１８はパーソナルコンピュータ１のシステム状況に関わらず、各種のデバイス（周辺機器、センサ、電源回路等）を監視し制御するワンチップ・マイコンである。またＥＣ／ＫＢＣ１８は、ユーザによる電源スイッチ７の操作に応じて、電源コントローラ１９と共同して、本パーソナルコンピュータ１をパワーオン／パワーオフする機能を有している。
【００２６】
電源コントローラ１９は、外部電源がＡＣアダプタ２１を介して供給されている場合、ＡＣアダプタ２１から供給される外部電源を用いてパーソナルコンピュータ１の各コンポーネントに供給すべきシステム電源を生成する。また、電源コントローラ１９は、外部電源がＡＣアダプタ２１を介して供給されていない場合、バッテリ２０を用いてパーソナルコンピュータ１の各コンポーネント（コンピュータ本体２，およびディスプレイユニット３）に供給すべきシステム電源を生成する。
【００２７】
ＬＡＮコントローラ２２及び無線ＬＡＮコントローラ２３はネットワークに接続された機器とデータの転送を行うネットワークコントローラ（通信デバイス）である。ビデオチャットを行う際、自装置にて撮像した映像の送信、及び相手方からの映像の受信を行う。
【００２８】
第１のカメラコントローラ２４及び第２のカメラコントローラ２６は、それぞれ第１のカメラ２５及び第２のカメラ２７の制御を行う。
【００２９】
第１のカメラ２５及び第２のカメラ２７は撮像を行う。
【００３０】
第１のライト２８及び第２のライト２９は、光源から光を出力し、表示装置３ａの前方を照射する。これらの制御はＥＣ／ＫＢＣ１８により行われる。
【００３１】
パームレストライト３０は、光源から光を出力し、コンピュータ本体２上方領域を照射する。光源としては例えばＬＥＤ（Ｌｉｇｈｔ  Ｅｍｉｔｔｉｎｇ  Ｄｉｏｄｅ）等がある。
【００３２】
次に、上述の構成からなるパーソナルコンピュータ１を使用する状況を説明する。図３は第１の実施の形態におけるパーソナルコンピュータ１の使用状況を示した図である。
【００３３】
まずユーザは撮像を行うカメラを、左側に位置する第１のカメラ２５と右側に位置する第２のカメラ２７とから選択することができる。通常、人間には左右何れの顎に偏って咀嚼を行う癖があるため、人の顔面は左右非対称となっている。即ち咀嚼を行う回数が多い側の顎は、少ない側に比べて発達するため、一般的に咀嚼を行う回数の少ない側から撮影を行った方が痩せて見えると考えられている。このようにユーザにはそれぞれ左右何れかの側面を、カメラ映りの良いとする撮影における嗜好がある。これまでウェブカメラは通常表示ユニット１３の上辺の中央部に設けられていたが、左右に設けられたカメラから選択可能にすることで、このようなユーザの嗜好に対応することができる。
【００３４】
次に、照射を行うライトを、左側に位置する第１のライト２８と右側に位置する第２のライト２９とから選択することができる。ここで、例えば図３に示すように左側のカメラである第１のカメラ２５を選択したとする。この場合に第１のライト２８を選択した場合、同じ左側から照射されることで、顔面にて光が反射する明るい顔映りが第１のカメラ２５にて撮像される。一方、第２のライト２９を選択した場合、撮像を行う第１のカメラ２５と反対側の右側から照射されることで、陰影のついた顔映りが第１のカメラ２５にて撮像される。
【００３５】
更に、パームレストライト３０から光を照射することで顔面に光を集め、より明るい照明条件での撮像を実現する。即ち第１のライト２８又は第２のライト２９に加えて、パームレストライト３０により照射を行うことで、照明が暗い室内においてもビデオチャットを行うことを可能にする。
【００３６】
表示装置３ａには、第１のカメラ２５又は第２のカメラ２７にて撮像を行った自分の映像を表示する撮像映像表示画面１３１と、ネットワークを介して受信した相手方の映像を表示する受信映像表示画面１３２とが表示されている。また表示装置３ａにおいて撮像映像表示領域１３１と受信映像表示画面１３２とを除く、斜線で示した領域を表示色変更可能領域１３３とする。この表示色変更可能領域１３３に表示する色をユーザが選択することができる。即ち、表示色変更可能領域１３３から照射される色がユーザの顔面にて反射される状態が、カメラにて撮像されることでユーザのカメラ映りの印象を変えることができる。例えば、表示色変更可能領域１３３から照射される選択した色が暖色の場合は健康的なカメラ映りに、寒色の場合は清涼感のあるカメラ映りに、白色の場合はしみやしわがより目立たないカメラ映りになる。
【００３７】
次に、第１の実施の形態の撮影状況の設定手順を説明する。図４は第１の実施の形態における撮影状況の設定画面の例である。ユーザに図４に示すような選択画面を提示し、各部の設定を行う。自己設定モードを選択するためのラジオボタン１０１、及び推奨モードを選択するためのラジオボタン１１７が設けられている。ラジオボタン１０１とラジオボタン１１７とは排他的に選択可能である。図４において選択されている自己設定モードを、第１の実施の形態として説明する。推奨モードについては、後述する第２の実施の形態にて説明する。
【００３８】
まず、カメラ２５、２７の選択においては、左カメラ即ち第１のカメラ２５を選択するためのラジオボタン１０２と、右カメラ即ち第２のカメラ２７を選択するためのラジオボタン１０３とが、排他的に選択可能である。
【００３９】
尚、本実施の形態においては、撮像を行うカメラを排他的に選択するものとしたが、これに限られることはない。即ち、両カメラから撮像を行うとしても良く、その場合は、各カメラにて撮像した映像を表示装置３ａにて表示する。
【００４０】
ライト２８、２９の選択においては、左ライト即ち第１のライト２８を選択するためのラジオボタン１０４と、右ライトを即ち第２のライト２９を選択するためのラジオボタン１０５とが、排他的に選択可能である。
【００４１】
また、ラジオボタン１０６〜１０８は、ラジオボタン１０４若しくは１０５の何れかを選択した場合に、ライトの照射強度即ちライトから発する光量を選択する項目である。ラジオボタン１０６は、ライトから高レベルで照射することを選択し、ラジオボタン１０７は中レベルで照射することを選択し、ラジオボタン１０８は低レベルで照射することを選択する。ここで、高レベルとはライトから照射することのできる光量を３段階に分けた場合、１番光量が多い段階を指す。また中レベルとは光量が２番目に多い段階を指し、低レベルとは光量が１番少ない段階を指す。
【００４２】
尚、本実施の形態においては、照射を行うライトを排他的に選択するものとしたが、これに限られることはない。即ち、両ライトから照射を行うとしても良く、その場合にも、それぞれのライトの照射強度を選択可能とする。
【００４３】
パームレストライト３０に関しては、パームレストライト３０を起動させることを選択するためのラジオボタン１０９と、起動させないことを選択するためのラジオボタン１１０とが、排他的に選択可能である。
【００４４】
また、ラジオボタン１１１〜１１３は、ラジオボタン１０９を選択した場合に、パームレストライト３０の照射強度を選択する項目である。ラジオボタン１１１は、パームレストライト３０から高レベルで照射することを選択し、ラジオボタン１１２は中レベルで照射することを選択し、ラジオボタン１１３は低レベルで照射することを選択する。パームレストライト３０の照射強度のレベル選択については上述のライト２８、２９の照射強度における選択と同様である。
【００４５】
表示色変更可能領域１３３に表示する色に関しては、色を変更することを選択するためのラジオボタン１１４と、色を変更しないことを選択するためのラジオボタン１１５とが、排他的に選択可能である。また、ラジオボタン１１４を選択した場合、詳細設定ボタン１１６が操作可能となる。詳細設定ボタン１１６を選択すると、色の一覧表が表示され表示色変更可能領域１３３に表示する色を選択することができる。選択を行わない場合には、初期設定されている色が選択される。
【００４６】
図５は第１の実施の形態の撮影状況の設定手順を示したフローチャートである。以下の手順はＨＤＤ１６に記憶された設定に関するアプリケーションがＣＰＵ１０により実行されることで行われる。また、各種の初期設定に関わる情報も、ＨＤＤ１６にて共に記憶されている。以下、図４に例示したように選択された場合を例に説明をする。
【００４７】
まずＣＰＵ１０は、操作機器からカメラの選択に関する入力がされたか否かを判別する（ステップＳ１１）。その結果、カメラの選択に関する入力がされていないと判別した場合（ステップＳ１１のＮｏ）、入力がされたと判別するまで以後の処理は行わない。一方、カメラの選択に関する入力がされたと判別した場合（ステップＳ１１のＹｅｓ）、第１のカメラ２５を選択する入力がされたと判別された場合は、第１のカメラ２５を起動する（ステップＳ１２）。また第２のカメラ２７を選択する入力がされたと判別された場合は、第２のカメラ２７を起動する（ステップＳ１３）。図４の例では、ラジオボタン１０２が選択されているので左カメラ、即ち第１のカメラ２５を起動する。
【００４８】
次にＣＰＵ１０は、ライトの選択に関する入力がされたか否かを判別する（ステップＳ１４）。その結果、入力がされていないと判別した場合（ステップＳ１４のＮｏ）、後述するステップＳ２２に進む。一方、ライトの選択に関する入力がされたと判別した場合（ステップＳ１４のＹｅｓ）、第１のライト２８を選択する入力がされたと判別された場合は、第１のライト２８を起動する（ステップＳ１５）。また第２のライト２９を選択する入力がされたと判別された場合は、第２のライト２９を起動する（ステップＳ１６）。図４の例では、ラジオボタン１０５が選択されているので右ライト、即ち第２のライト２９を起動する。
【００４９】
次に、ＣＰＵ１０はライトの照射強度の選択に関する入力がされたか否かを判別する（ステップＳ１７）。その結果、入力がされていないと判別した場合（ステップＳ１７のＮｏ）、初期設定レベルにて出力を行う（ステップＳ２１）。一方、高レベルを選択する入力がされたと判別した場合（ステップＳ１７のＹｅｓ）、高レベルのライトの照射を行う（ステップＳ１８）。中レベルを選択する入力がされたと判別した場合（ステップＳ１７のＹｅｓ）、中レベルのライトの照射を行う（ステップＳ１９）。低レベルを選択する入力がされたと判別した場合（ステップＳ１７のＹｅｓ）、低レベルのライトの照射を行う（ステップＳ２０）。図４の例では、ラジオボタン１０６が選択されているので、高レベルにて第２のライト２９による照射を行う。
【００５０】
次に、ＣＰＵ１０はパームレストライト３０を起動する入力がされたか否かを判別する（ステップＳ２２）。その結果、起動する入力がされていないと判別した場合（ステップＳ２２のＮｏ）、後述するステップＳ２８に進む。一方、起動する入力がされたと判別した場合（ステップＳ２２のＹｅｓ）、次に、ＣＰＵ１０はパームレストライト３０の照射強度に関する入力されたか否かを判別する（ステップＳ２３）。図４の例では、ラジオボタン１０９が選択されているので、パームレストライト３０を起動する。
【００５１】
その結果、入力されていないと判別した場合（ステップＳ２３のＮｏ）、初期設定レベルにて照射を行う（ステップＳ２７）。一方、高レベルを選択する入力がされたと判別した場合（ステップＳ２３のＹｅｓ）、高レベルのパームレストライト３０の照射を行う（ステップＳ２４）。中レベルを選択する入力がされたと判別した場合（ステップＳ２３のＹｅｓ）、中レベルのパームレストライト３０の照射を行う（ステップＳ２５）。低レベルを選択する入力がされたと判別した場合（ステップＳ２３のＹｅｓ）、低レベルのパームレストライト３０の照射を行う（ステップＳ２６）。図４の例ではラジオボタン１１２が選択されているので、中レベルのパームレストライト３０の照射を行う。
【００５２】
次に、ＣＰＵ１０は表示色変更可能領域１３３に表示する色の変更を行う旨の入力がされたか否かを判別する（ステップＳ２８）。その結果、入力がされていないと判別した場合（ステップＳ２８のＮｏ）、撮影状況の設定手順を終了する。一方、表示色変更可能領域１３３に表示する色の変更を行う旨の入力がされたと判別した場合（ステップＳ２８のＹｅｓ）、次にＣＰＵ１０は、表示色変更可能領域１３３に表示する色を選択する入力がされたか否かを判別する（ステップＳ２９）。図４の例においては、ラジオボタン１１４が選択されているので、表示色変更可能領域１３３に表示する色の変更を行う。
【００５３】
その結果、表示色変更可能領域１３３に表示する色を選択する入力がされていないと判別した場合（ステップＳ２９のＮｏ）、初期設定されている色を表示する（ステップＳ３０）。一方、表示色変更可能領域１３３に表示する色が選択する入力がされたと判別した場合（ステップＳ２９のＹｅｓ）、表示色変更可能領域１３３に選択された色を表示する（ステップＳ３１）。図４の例においては、ラジオボタン１１４が選択されているので、詳細設定ボタン１１６を選択することができ、色の一覧表から表示色変更可能領域１３３に表示する色を選択することが可能である。選択が行われない場合には、初期設定されている色を表示する。上述したように、表示色変更可能領域１３３に表示する色を変更することで、ユーザのカメラ映りの印象を変えることが可能である。
【００５４】
以上の手順により選択された内容を、ＨＤＤ１６にて記憶しておくことができる。即ち、一度設定した撮影状況を記憶することで、ユーザの嗜好に沿った撮影状況が再現できる。
【００５５】
以上のように、第１の実施の形態によれば、複数設けたカメラを選択可能にすることで、設置位置を移動する手間なしにユーザの嗜好に沿った位置からの撮影が実現する。またライトと、パームレストライトとを設け照射を行うことで、パーソナルコンピュータ１の使用状況に関わらず撮影に必要な光量が得られる。またビデオチャット画面以外に表示する色を変更可能とし、カメラ映りの印象を変えることにより詳細に撮影条件を設定することができる。また設定状況を記憶しておくことで、嗜好に沿った撮影状況を即時再現することができる。
【００５６】
次に図６〜図９を用いて、第２の実施の形態について説明する。図６は、第２の実施の形態におけるパーソナルコンピュータ１の外観斜視図を示す。図７は第２の実施の形態におけるパーソナルコンピュータ１の信号処理系を説明するために示すブロック構成図である。図１及び図２に示した第１の実施の形態におけるパーソナルコンピュータ１と、同じ部分については同じ符号を用いて示している。第１の実施の形態と異なる点は、光センサコントローラ３１及び光センサ３２が加わっている点である。光センサコントローラ３１は、サウスブリッジ１５に接続され、光センサ３２の制御を行う。光センサ３２は、パームレスト上に設けられ、光量を検知する。
【００５７】
次に第２の実施の形態の撮影状況の設定手順を説明する。図８は第２の実施の形態における撮影状況の設定画面の例であり、第２の実施の形態はラジオボタン１１７が選択された場合の推奨モードを指している。
【００５８】
推奨モードにおいては、まず撮像を行うカメラを選択する。左カメラ即ち第１のカメラ２５を選択するためのラジオボタン１１８と、右カメラ即ち第２のカメラ２７を選択するためのラジオボタン１１９とが、排他的に選択可能である。
【００５９】
この推奨モードにおいては、照射を行うライトの選択やパームレストライト３０の起動の設定及びそれらの照射強度の選択については光センサ３２の検知結果に基づき行う。検知結果に基づく各部の設定については後述する。
【００６０】
次に、表示色変更可能領域１３３に表示する色に関しては、色を変更することを選択するためのラジオボタン１２０と、色を変更しないことを選択するためのラジオボタン１２１とが、排他的に選択可能である。また、ラジオボタン１２０を選択した場合、詳細設定ボタン１２２が操作可能となる。詳細設定ボタン１２２を選択すると、色の一覧表が表示され表示色変更可能領域１３３に表示する色を選択することができる。選択を行わない場合には、初期設定されている色が選択される。
【００６１】
図９は、第２の実施の形態の撮影状況の設定手順を示したフローチャートである。以下の手順はＨＤＤ１６に記憶された設定に関するアプリケーションがＣＰＵ１０により実行されることで行われる。以下、図８に図示したように選択がされた場合を例に説明をする。
【００６２】
まずＣＰＵ１０は、操作機器からカメラの選択に関する入力がされたか否かを判別する（ステップＳ４１）。その結果、カメラの選択に関する入力がされていないと判別した場合（ステップＳ４１のＮｏ）、入力がされたと判別するまで以後の処理は行わない。一方、カメラの選択に関する入力がされたと判別した場合（ステップＳ４１のＹｅｓ）、第１のカメラ２５を選択する入力がされたと判別された場合は、第１のカメラ２５を起動する（ステップＳ４２）。また第２のカメラ２７を選択する入力がされたと判別された場合は、第２のカメラ２７を起動する（ステップＳ４３）。図８の例では、ラジオボタン１１９が選択されているので右カメラ、即ち第２のカメラ２７を起動する。
【００６３】
次に、ＣＰＵ１０は、選択されたカメラに対応するライトを起動する（ステップＳ４４）。対応するライトとは、ＨＤＤ１６に格納されるアプリケーションに記憶されており、選択されたカメラと対角線上に位置するライトである。即ち撮像を行うカメラと同じ側でなく、異なる側からライトを照射することで、撮影として望ましいとされる陰影を付けた撮影を実現する。図８の例では、右カメラが選択されているので、左ライト即ち第１のライト２８を起動させる。
【００６４】
次に、ＣＰＵ１０は、光センサ３２にて光量の検知が終了したか否かを判別する（ステップＳ４５）。その結果、光量の検知が終了していないと判別した場合（ステップＳ４５のＮｏ）、終了したと判別するまで以後の処理は行わない。一方、光量の検知を終了したと判別した場合（ステップＳ４５のＹｅｓ）、ＣＰＵ１０はその検知結果を元に、最適な光量をライトから照射する（ステップＳ４６）。即ちＥＣ／ＫＢＣ１８に最適な光量に関する情報を伝送し、第１のライト２８から照射させる。この最適な光量とは予めＨＤＤ１６に記憶された設定に関するアプリケーションに記憶されており、通常撮影に必要な光量を元に定められる。即ち検知した光量を通常撮影に必要とされる光量から差し引くことで、照射デバイスから照射する光量を最適な光量として定める。
【００６５】
次に、ＣＰＵ１０はその検知した結果を元に、最適な光量をパームレストライト３０から照射させる（ステップＳ４７）。即ちステップＳ４６にて設定されたライトから照射する光量では、通常の撮影に必要とされる光量に満たない場合、パームレストライト３０から照射を行う。この場合、ＥＣ／ＫＢＣ１８に最適な光量に関する情報を伝送し、パームレストライト３０から照射を行う。
【００６６】
次に、ＣＰＵ１０は、表示色変更可能領域１３３に表示する色の変更を行う旨の入力がされたか否かを判別する（ステップＳ４８）。その結果、入力がされていないと判別した場合（ステップＳ４８のＮｏ）、撮影状況の設定手順を終了する。一方、表示色変更可能領域１３３に表示する色の変更を行う旨の入力がされたか否かを判別した場合（ステップＳ４８のＹｅｓ）、次にＣＰＵ１０は表示色変更可能領域１３３に表示する色を選択する入力がされたか否かを判別する（ステップＳ４９）。図８の例においては、ラジオボタン１２０が選択されているので、表示色変更可能領域１３３に表示する色の変更を行う。
【００６７】
その結果、表示色変更可能領域１３３の色を選択する入力がされていないと判別した場合（ステップＳ４９のＮｏ）、初期設定されている色を出力する（ステップＳ５０）。一方、表示色変更可能領域１３３に表示する色が選択する入力がされたと判別した場合（ステップＳ４９のＹｅｓ）、表示色変更可能領域１３３に選択された色を表示する（ステップＳ５１）。図４の例においては、ラジオボタン１２０が選択されているので、詳細設定ボタン１２２を選択することができ、色の一覧表から表示色変更可能領域１３３に表示する色を選択することが可能である。選択が行われない場合には、初期設定されている色を表示する。上述したように、表示色変更可能領域１３３に表示する色を選択することで、ユーザのカメラ映りの印象を変えることが可能である。
【００６８】
以上のように、第２の実施の形態によれば、予めユーザが撮像を行うカメラを選択するのみで、その他の撮影条件が自動で設定される。更に光センサ３２により使用状況における照明の状態を検知することで、各種の照射デバイスにより撮影に必要とされる照射が行われる。第１の実施の形態と異なり、ライト及びパームレストライト３０の設定の手間がなく、カメラ映りが良いと推奨される撮影状況が実現する。
【００６９】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。例えば実施形態に示される全構成要素から幾つかの構成要素を削除してもよい。さらに、異なる実施形態にわたる構成要素を適宜組み合わせてもよい。
【符号の説明】
【００７０】
１…パーソナルコンピュータ、２…コンピュータ本体、３…ディスプレイユニット、３ａ…表示装置、４…ヒンジ、５…タッチパッド、６…キーボード、７…電源スイッチ、１０…ＣＰＵ、１１…ノースブリッジ、１２…主メモリ、１３…グラフィックスコントローラ、１４…ＶＲＡＭ、１５…サウスブリッジ、１６…ＨＤＤ、１７…ＢＩＯＳ−ＲＯＭ、１８…ＥＣ／ＫＢＣ、１９…電源コントローラ、２０…バッテリ、２１…ＡＣアダプタ、２２…ＬＡＮコントローラ、２３…無線ＬＡＮコントローラ、２４…第１のカメラコントローラ、２５…第１のカメラ、２６…第２のカメラコントローラ、２７…第２のカメラ、２８…第１のライト、２９…第２のライト、３０…パームレストライト、３１…光センサコントローラ、３２…光センサ、１０１〜１１５，１１７〜１２１…ラジオボタン、１１６，１２２…詳細設定ボタン、１３１…撮像映像表示画面、１３２…受信映像表示画面、１３３…表示色変更可能領域。
【図１】
2010161783.tif 000003
【図２】
2010161783.tif 000004
【図３】
2010161783.tif 000005
【図４】
2010161783.tif 000006
【図５】
2010161783.tif 000007
【図６】
2010161783.tif 000008
【図７】
2010161783.tif 000009
【図８】
2010161783.tif 000010
【図９】
2010161783.tif 000011